(57)【要約】【課題】表示部の一部を導光部が覆う構造においても見栄えが良好な表示装置を提供する。【解決手段】表示装置は、画像を前方に表示する表示部２０と、意匠板３０と、意匠板用光源Ｌ２が実装された回路基板４０と、意匠板用光源Ｌ２が発した光を、第１導光部６１を介して導き、表示部２０の一部を前方から覆う覆い部６２１を有する板状の第２導光部６２と、第１導光部６１を収容する第１収容部５１と、を備える。意匠板３０は、表示部２０の画像を視認可能とする窓部３１と、第２導光部６２が導いた光により発光する発光部とを有する。第１導光部６１と第２導光部６２とは、別体であり、第１導光部６１は、第１収容部５１に固定され、第２導光部６２は、意匠板３０の後面に対して固定されている。【選択図】図７
2019045209.tif 000002
【特許請求の範囲】
【請求項１】
画像を前方に表示する表示部と、
前記表示部の前方に位置する意匠板と、
前記表示部を挟んで前記意匠板と対向し、光源が実装された回路基板と、
前記光源から受けた光を、前記意匠板の後面に沿って出射する出射部を有する第１導光部と、
前記表示部と前記意匠板との間に位置し、前記出射部から出射された光を受ける受光部を有する板状の第２導光部と、
前記意匠板と前記回路基板との間に位置し、前記第１導光部を収容する収容部と、を備え、
前記意匠板は、前記画像を視認可能とする窓部と、前記第２導光部が前記受光部で受けた光により発光する発光部とを有し、
前記第１導光部と前記第２導光部とは、別体であり、
前記第１導光部は、前記収容部に固定され、
前記第２導光部は、前記表示部の一部を前方から覆う覆い部を有し、前記意匠板の後面に対して固定されている、
ことを特徴とする表示装置。
【請求項２】
前記第１導光部は、前記収容部と係合されている、
ことを特徴とする請求項１に記載の表示装置。
【請求項３】
前記覆い部の外周端には、遮光部が設けられている、
ことを特徴とする請求項１又は２に記載の表示装置。
【請求項４】
前記第１導光部の前記出射部と前記第２導光部の前記受光部とは、間隔を空けて対向しており、各々の対向面には鏡面加工が施されている、
ことを特徴とする請求項１乃至３のいずれか１項に記載の表示装置。
【請求項５】
前記意匠板の前方において回転しつつ、前記意匠板に形成された指標部を指示する指針を備え、
前記指標部の少なくとも一部は、前記発光部であり、
前記第１導光部の前記出射部は、前記光源から受けた光を前記指針の回転軸の外周方向に出射する、
ことを特徴とする請求項１乃至４のいずれか１項に記載の表示装置。
【発明の詳細な説明】
【技術分野】
【０００１】
本発明は、表示装置に関する。
【背景技術】
【０００２】
従来の表示装置として、例えば特許文献１には、液晶パネルで構成された表示部と、指針式計器とを備えた車両用表示装置が開示されている。
【０００３】
特許文献１に開示されている表示装置では、指針式計器の意匠板（表示板）の背面側に導光板が設けられており、この導光板が光源からの光を導くことにより意匠板の一部を発光させる。また、導光板は、表示部の一部を前方から覆うように設けられている（同文献の図２参照）。
【先行技術文献】
【特許文献】
【０００４】
【特許文献１】特開２０１７−３５１７号公報
【発明の概要】
【発明が解決しようとする課題】
【０００５】
特許文献１に開示されている構造では、少なくとも導光板の板厚分だけ表示部が後方に下がってしまうため、意匠板と表示部とに段差が生じ、見栄えが良好でなくなることがある。意匠板の背面側に位置する導光部を薄く形成すればするほど前記の段差を小さくすることができるとは言え、意匠板とは別の対象（例えば指針）を照明するための照明構造や、意匠板と光源が実装された回路基板との間に位置する部品の配設構造などの内部構造を踏まえた上で、これを実現するのは容易ではない。実際、特許文献１には、内部構造を踏まえつつ導光板を薄くするための工夫は示されておらず、概略的に導光板が表されているだけである。
【０００６】
本発明は、上記実情に鑑みてなされたものであり、表示部の一部を導光部が覆う構造においても見栄えが良好な表示装置を提供することを目的とする。
【課題を解決するための手段】
【０００７】
上記目的を達成するため、本発明に係る表示装置は、
画像を前方に表示する表示部と、
前記表示部の前方に位置する意匠板と、
前記表示部を挟んで前記意匠板と対向し、光源が実装された回路基板と、
前記光源から受けた光を、前記意匠板の後面に沿って出射する出射部を有する第１導光部と、
前記表示部と前記意匠板との間に位置し、前記出射部から出射された光を受ける受光部を有する板状の第２導光部と、
前記意匠板と前記回路基板との間に位置し、前記第１導光部を収容する収容部と、を備え、
前記意匠板は、前記画像を視認可能とする窓部と、前記第２導光部が前記受光部で受けた光により発光する発光部とを有し、
前記第１導光部と前記第２導光部とは、別体であり、
前記第１導光部は、前記収容部に固定され、
前記第２導光部は、前記表示部の一部を前方から覆う覆い部を有し、前記意匠板の後面に対して固定されている、
ことを特徴とする。
【発明の効果】
【０００８】
本発明によれば、表示部の一部を導光部が覆う構造においても見栄えが良好な表示装置を提供することができる。
【図面の簡単な説明】
【０００９】
【図１】本発明の第１実施形態に係る表示装置の前面図である。
【図２】図１に示すＡ−Ａ線に沿った表示装置の断面図である。
【図３】表示部とケースと導光体の前面図である。
【図４】回路基板と導光体の要部前面図である。
【図５】導光体の後方斜視図である。
【図６】第１実施形態に係る導光経路を説明するための模式図である。
【図７】本発明の第２実施形態に係る表示装置の断面図である。
【図８】第２実施形態に係る導光経路を説明するための模式図である。
【発明を実施するための形態】
【００１０】
本発明の一実施形態に係る表示装置について図面を参照して説明する。
【００１１】
（第１実施形態）
本発明の第１実施形態に係る表示装置１は、図１に示すように横長の略矩形状をなし、車両に搭載される。表示装置１は、各種の計測量や警告情報などの車両内外の情報（以下、車両情報と言う）をユーザ（主に運転者）に報知する。表示装置１は、ユーザから見て、車両のハンドル後方に配設される。
【００１２】
以下では、構成の理解を容易にするために、表示装置１に対してユーザ側を「前」とし、その反対側を「後」として各部を説明する。
【００１３】
表示装置１は、図１〜図６に示すように、指針式計器１０と、表示部２０と、意匠板３０と、回路基板４０と、ケース５０と、導光体６０と、遮光部７０と、フロントカバー８０と、図示しないリアカバーと、を備える。
フロントカバー８０とリアカバーとは、嵌め合わされることで箱状となり、その他の各部を内部に収容する。また、フロントカバー８０は、表示装置１の表示内容を透かして視認させる透光板と、透光板を保持する見返し部材とを有している。
【００１４】
指針式計器１０は、図２に示す軸線ＡＸを中心に回転する指針１１と、指針１１の回転範囲に応じて形成された指標部１２とを有する。指標部１２は、後述するように意匠板３０に形成されている。指針式計器１０は、指針１１と指標部１２とを対比判読させることにより計測量を報知する。指針式計器１０は、例えば、車速を報知するスピードメータとして構成されている。
【００１５】
指針１１は、指標部１２を指示する導光材からなる指示部と、指針１１の回転中心部に設けられた遮光性のキャップとを有する。指針１１の指示部は、後述の指針用光源Ｌ１からの光により発光可能となっている。
【００１６】
表示部２０は、指針式計器１０の図１における左隣りに設けられ、車両情報を画像により報知する。表示部２０は、前方の表示面２１に画像を表示し、液晶ディスプレイ（ＬＣＤ（Liquid Crystal Display））、有機ＥＬ（Electro Luminescence）などから構成されている。
【００１７】
意匠板３０は、例えば、ポリカーボネートからなる透光性板材の前面と後面との少なくとも一方に印刷層を形成したものであり、図２に示すように、表示部２０の前方に位置する。意匠板３０には、板材の広範囲に渡って遮光性印刷層が形成されている。
【００１８】
意匠板３０は、図１、図２に示すように、窓部３１と、発光部３２と、貫通孔３３と、第１点灯部Ｗａと、第２点灯部Ｗｂと、を有する。なお、この実施形態では、指標部１２が発光部３２に含まれる。
【００１９】
窓部３１は、表示部２０の表示画像を視認可能とするものであり、意匠板３０において遮光性印刷層が施されていない部分により形成されて透光性を有している。なお、窓部３１に、透光性印刷層を施してもよい。このように表示部２０の前方を覆う窓部３１を、指標部１２を有する意匠板３０に形成することにより、表示部２０と指針式計器１０の表示の一体感（シームレス感）を演出することができる。なお、窓部３１は、表示部２０の表示面２１を露出させる開口部として意匠板３０に形成されていてもよい。
【００２０】
発光部３２は、後述の意匠板用光源Ｌ２が発した光に基づいて発光し、意匠板３０において遮光性印刷層が施されていない部分により形成されて透光性を有している。この実施形態では、指標部１２が発光部３２として形成されている。指標部１２は、図１に示すように、指針１１の回転範囲に渡って円弧状に形成された数値及び目盛や、文字（図１では時速の単位を示す「ｋｍ／ｈ」）から構成されている。意匠板３０において指標部１２に相当する部分には遮光性印刷層が形成されていない（つまり、指標部１２が所謂抜き文字状に形成されている）ことにより、指標部１２は発光部３２として機能する。なお、指標部１２の全てが発光部３２として構成されていなくともよい。指標部１２をどのように構成するかは、求められる機能やデザインに応じて任意である。
【００２１】
貫通孔３３は、軸線ＡＸを中心として略円形に形成されている。この貫通孔３３によって、後述の回転軸４１ａに取り付けられた指針１１は、意匠板３０の前方において回転可能となっている。
【００２２】
第１点灯部Ｗａ及び第２点灯部Ｗｂは、点灯により各種報知を行うものであり、意匠板３０において遮光性印刷層が施されていない部分により形成されて透光性を有している。
第１点灯部Ｗａは、図１に示すように、指標部１２より内側であって指針１１の回転中心近傍に設けられている。図示例では、第１点灯部Ｗａは、給油ランプとして設けられている。第１点灯部Ｗａは、その後方に位置する第１点灯部用光源（図示せず）の発光に応じて点灯する。
第２点灯部Ｗｂは、図１に示すように、表示部２０の上方に設けられている。図示例では、第２点灯部Ｗｂは、一対の方向指示灯として設けられている。第２点灯部Ｗｂは、その後方に位置する第２点灯部用光源（図示せず）の発光に応じて点灯する。
【００２３】
回路基板４０は、各種回路が形成されたプリント回路板から構成され、図２に示すように、表示部２０を挟んで意匠板３０と対向して配置されている。回路基板４０に実装されるか、回路基板４０と電気的に接続される制御部（図示せず）によって、表示装置１の全体動作が制御される。制御部は、例えば、車両のＥＣＵ（Electronic Control Unit）から取得した車両情報に応じて指針式計器１０や表示部２０の動作を制御する。また、制御部は、後述の光源の発光制御を行う。
【００２４】
回路基板４０の後面には、指針１１を回転させるためのモータ４１が実装されている。モータ４１は、例えばステッピングモータから構成されている。モータ４１の回転軸４１ａは、回路基板４０の基材を貫通して回路基板４０の前方へと突出している。回転軸４１ａの先端部に指針１１が取り付けられていることにより、モータ４１の動作に伴い指針１１が軸線ＡＸを中心に回転する。
【００２５】
回路基板４０の前面には、図２及び図４に示す指針用光源Ｌ１及び意匠板用光源Ｌ２と、図示しない第１及び第２点灯部用光源とが実装されている。これらの光源は、例えば、前方に向かって光を発するＬＥＤ（Light Emitting Diode）から構成されている。
【００２６】
指針用光源Ｌ１は、複数あり、図２及び図４に示すように、モータ４１の回転軸４１ａの周囲に配置されている。
【００２７】
意匠板用光源Ｌ２は、複数あり、図２及び図４に示すように、導光体６０における後述の第１導光部６１の後面に沿って配列されている。また、意匠板用光源Ｌ２は、図４に示すように、第１特定光源Ｌ２ａと、第２特定光源Ｌ２ｂとを含む。意匠板用光源Ｌ２の配置については、後に詳述する。
【００２８】
ケース５０は、例えばポリプロピレンによって形成され、前方において導光体６０及び意匠板３０を保持し、後方において回路基板４０を保持する。ケース５０は、前方に開口した箱状のリアカバー（図示せず）内に嵌め合わされ、リアカバーと共に各種部品を収納する。
【００２９】
ケース５０は、主に図３に示すように、第１収容部５１と、第２収容部５２と、指針用照明室５３と、第１点灯部用照明室５４ａと、第２点灯部用照明室５４ｂと、を有する。これらは、各々独立した部屋状に形成されている。
【００３０】
第１収容部５１は、図２に示すように、導光体６０の第１導光部６１を収容し、図３に示すように、第１導光部６１の形状に合わせて平面視で直線形状と円弧形状からなる略Ｄ字状に形成されている。第１収容部５１内における回路基板４０の前面に、意匠板用光源Ｌ２が位置する。
【００３１】
第２収容部５２は、図２に示すように、表示部２０を収容し、第１収容部５１の外周側に位置する。ケース５０における第１収容部５１と第２収容部５２との間には、両者を隔てる隔壁部５５が形成されている。
【００３２】
隔壁部５５は、図２に示すように、回路基板４０の基材面が向く第１の方向Ｄ１（前後方向）に沿って立つように形成されている。また、隔壁部５５は、図３に示すように、表示部２０における右側の端辺に沿う第２の方向Ｄ２（図３における上下方向）に沿って延びている。
【００３３】
指針用照明室５３は、回転軸４１ａを囲む円筒状に形成され、指針用光源Ｌ１が発した光を指針１１へと導く。
【００３４】
第１点灯部用照明室５４ａは、第１収容部５１と指針用照明室５３との間に形成され、第１点灯部用光源が発した光を、意匠板３０に形成された第１点灯部Ｗａへと導く。第１点灯部用照明室５４ａは、回転軸４１ａの円周方向に沿って複数設けられ、そのうちの一つが図１に示す給油ランプに対応している。図示しないが、第１点灯部Ｗａとして、他の第１点灯部用照明室５４ａに対応した警告灯を設けてもよい。なお、この実施形態では、図３に示すように、同図での左右方向において指針用照明室５３と表示部２０の右側面とが対向する部分（第２収容部５２と指針用照明室５３の間の部分）には、第１点灯部用照明室５４ａが形成されていない。
【００３５】
第２点灯部用照明室５４ｂは、図３に示すように、第２収容部５２の上部に形成され、第２点灯部用光源が発した光を、意匠板３０に形成された第２点灯部Ｗｂへと導く。第２点灯部用照明室５４ｂは、図３における左右方向（第２の方向Ｄ２と直交する方向）に沿って複数設けられ、そのうちの両端に位置するものが図１に示す一対の方向指示灯に対応している。図示しないが、第２点灯部Ｗｂとして、他の第２点灯部用照明室５４ｂに対応した警告灯を設けてもよい。
【００３６】
導光体６０は、意匠板用光源Ｌ２が発した光を導いて意匠板３０を後方から照明するためのものであり、第１導光部６１と、第２導光部６２と、を有する。導光体６０は、例えばアクリル樹脂などの透光性樹脂から形成され、第２導光部６２がケース５０の前面に位置している。
【００３７】
第１導光部６１は、図２に示すように、ケース５０の第１収容部５１に収容され、意匠板用光源Ｌ２と意匠板３０との間に位置する。
第１導光部６１は、図５に示すように、第２の方向Ｄ２に延びる延在部６１１と、軸線ＡＸを中心とした円周方向に沿う湾曲部６１２と、を有し、平面視で略Ｄ字状となる筒状に形成されている。
【００３８】
延在部６１１は、図２に示すように、隔壁部５５を挟んで表示部２０と向かい合っており、意匠用光源Ｌ２から受けた光を意匠板３０の後面に沿って、表示部２０側へと反射させる第１反射面６１１ａを有する。
【００３９】
湾曲部６１２は、図２に示すように、第１点灯部用照明室５４ａよりも回転軸４１ａの外周側に位置し、意匠用光源Ｌ２から受けた光を意匠板３０の後面に沿って、表示部２０側でなく、且つ、回転軸４１ａの外周方向へと反射させる第２反射面６１２ａを有する。
【００４０】
ここで、図４に示すように回路基板４０に実装された複数の意匠板用光源Ｌ２は、第１導光部６１の後面に沿って配列されている。そして、複数の意匠板用光源Ｌ２は、延在部６１１の第２の方向Ｄ２における一端部に位置する第１特定光源Ｌ２ａと、他端部に位置する第２特定光源Ｌ２ｂとを含む。つまり、第１特定光源Ｌ２ａと第２特定光源Ｌ２ｂとは、延在部６１１と湾曲部６１２が交わる角に位置する。このように第１特定光源Ｌ２ａ及び第２特定光源Ｌ２ｂを設けることにより、当該角の軸線ＡＸを中心とした半径方向に相当する意匠板３０の部分も、導光体６０により均一に照明することができる。
【００４１】
第２導光部６２は、図２に示すように、表示部２０又はケース５０と、意匠板３０との間に位置し、第１反射面６１１ａ及び第２反射面６１２ａで反射した光を導く。
第２導光部６２は、図２及び図５に示すように、軸線ＡＸを中心とした円盤状に形成され、表示部２０の一部を前方から覆う覆い部６２１を有する。
【００４２】
第２導光部６２の板厚は、数ｍｍ（例えば１ｍｍ程度）と薄く、第１導光部６１の肉厚よりも小さく形成されている。このように第２導光部６２を薄く形成することで、表示見栄えを低減させるおそれのある意匠板３０と表示部２０との段差を小さくすることができる。
【００４３】
また、第２導光部６２の板厚は、第１導光部６１の肉厚よりも小さい。そして、第１実施形態では、第１導光部６１と第２導光部６２とは２段階の射出成形により一体に形成されている。例えば、予め射出成形により薄板状の第２導光部６２を形成し、このように用意した第２導光部６２を金型にインサートして、さらに射出成形（インサート成形）を行うことで、第１導光部６１と第２導光部６２とが一体となった導光体６０を形成する。
【００４４】
ここで、板厚が数ｍｍの第２導光部６２に接続された筒状の第１導光部６１を有する導光体６０を、単一成形した場合は、第２導光部６２に対応する金型の薄さにより、樹脂の流動不良が起こる可能性が高い。しかし、この実施形態では、２段階の射出成形により、特徴的な形状の導光体６０を精度良く形成することができる。なお、３段階以上の射出成形により導光体６０を形成してもよい。
【００４５】
遮光部７０は、図２に示すように、覆い部６２１の外周端に設けられている。遮光部７０は、例えば、覆い部６２１の外周端面に貼り付けられた遮光性フィルムからなり、第２導光部６２の覆い部６２１に導かれた意匠板用光源Ｌ２からの光が、表示部２０の前面（表示面２１の表面）へ漏れることを防止する。
【００４６】
なお、遮光部７０は、遮光性インキの印刷、遮光性塗料の塗布、遮光性インキを印刷したフィルムの一体化成形等により設けられていてもよい。また、遮光部７０は、意匠板３０の一部（例えば絞り加工により形成された部分）で実現されてもよい。また、遮光部７０は、覆い部６２１だけでなく、第２導光部６２の外周端を囲むように設けられていてもよい。つまり、遮光部７０は、第２導光部６２のうち少なくとも覆い部６２１の外周端に設けられていればよい。
【００４７】
また、図示しないが、第２導光部６２と表示部２０との間には反射シートが設けられ、第２導光部６２と意匠板３０との間には拡散シートが設けられている。反射シートは、第２導光部６２に導かれた意匠板用光源Ｌ２からの光を効率的に意匠板３０に向けて反射させるものである。反射シートは、例えば白色樹脂シートからなり、第２導光部６２の後面に貼り付けられている。拡散シートは、第２導光部６２の前面から出射される光を拡散して、意匠板３０の照明ムラを低減するためのものであり、例えば、透光性樹脂シートからなり、第２導光部６２の前面に取り付けられている。
【００４８】
以上のように構成される表示装置１では、意匠板用光源Ｌ２が発した光が、導光体６０の第１導光部６１の第１反射面６１１ａ及び第２反射面６１２ａで反射され、意匠板３０の背後にある第２導光部６２へと導かれ、意匠板３０が照明される。これにより、意匠板３０の発光部３２が発光する。
【００４９】
ここで、図６を参照して、表示部２０側における導光体６０の導光経路について、具体的に説明する。
【００５０】
意匠板用光源Ｌ２が発した光は、導光体６０における第１導光部６１の後方端面に入射し、前方へと向かう。当該前方へと向かった光は、第１反射面６１１ａで反射し、意匠板３０の後面に沿って表示部２０側へと向かう。第１反射面６１１ａで反射した光は、第２導光部６２に導かれるとともに、後面（及び図示せぬ反射シート）でさらに反射して、第２導光部６２の前方へと出射される。当該出射光は、前記の拡散シート（図示せず）を介し、拡散光として意匠板３０を後方から照明する。これにより、意匠板３０に形成された発光部３２が発光する。
【００５１】
また、第２導光部６２の覆い部６２１に導かれた光は、覆い部６２１の外周端面（図６の左側端）へと到達するが、この外周端面には遮光部７０が設けられているため、表示部２０の表示面２１の前方へは漏れ出ない。これにより、表示面２１に表示される画像の見栄えが低減することが防止される。第１実施形態の説明は以上である。
【００５２】
（第２実施形態）
次に、第１導光部６１と第２導光部６２とが別体に構成された導光体２６０を有する第２実施形態に係る表示装置について説明する。表示装置の外観や、導光体２６０と後述のフック５１１、５１２以外の構成は、第１実施形態と同様である。以下の第２実施形態では、第１実施形態と機能が共通する各部については第１実施形態と同様の符号を付すとともに、第１実施形態と異なる点を主に説明する。
【００５３】
第２実施形態に係る導光体２６０は、図７及び図８に示すように、別体の第１導光部６１と、第２導光部６２と、を有する。第１導光部６１と第２導光部６２とは、回転軸４１ａの径方向において、数ｍｍ（例えば１〜２ｍｍ）の間隔を空けて配置されている。このように間隔を設けることにより、第１導光部６１、第２導光部６２各々のケース５０への組み付けが容易となる。
【００５４】
第１導光部６１は、図７に示すように、ケース５０の第１収容部５１内に固定されている。具体的には、第１導光部６１が、第１収容部５１内に設けられたフック５１１、５１２に係合されている。フック５１１、５１２は、例えば、第１収容部５１のうち回転軸４１ａに近い壁面（以下、内壁面と言う）から回転軸４１ａの外周方向に突出して設けられている。フック５１１は、第１導光部６１の延在部６１１に形成された係合部６１１ｂと係合する。フック５１２は、第１導光部６１の湾曲部６１２に形成された係合部６１２ｂと係合する。
【００５５】
なお、第１導光部６１の第１収容部５１への係合態様は任意であり、適宜変更が可能である。例えば、第１収容部５１の内壁面ではなく、当該内壁面よりも回転軸４１ａの外周側にある外壁面から回転軸４１ａに向かって突出するフック５１１、５１２を形成するとともに、これらフック５１１、５１２と係合する係合部６１１ｂ、６１２ｂを第１導光部６１に形成してもよい。また、第１導光部６１の第１収容部５１への固定手法は、係合に限られず、嵌合、螺合、接着など公知の他の固定手法によってもよい。
【００５６】
第２実施形態に係る第１導光部６１は、図８に示すように、第１反射面６１１ａで反射して、意匠板３０の後面に沿って表示部２０側へ向かう意匠板用光源Ｌ２からの光を出射する出射部６１０を有する。第２導光部６２は、第１導光部６１の出射部６１０から出射された意匠板用光源Ｌ２からの光を受ける受光部６２０を有する。出射部６１０と受光部６２０とは、前記の数ｍｍの間隔を空けて、回転軸４１ａの半径方向において互いに対向する。
【００５７】
第１導光部６１の出射部６１０は、回転軸４１ａの外径方向に向く面を有し、この面には鏡面加工が施されている。第２導光部６２の受光部６２０は、回転軸４１ａの内径方向に向く面を有し、この面には鏡面加工が施されている。つまり、出射部６１０と受光部６２０の各々の対向面には、鏡面加工が施されている。このように各対向面を鏡面状とすることで、出射部６１０から受光部６２０へと入射する意匠用光源Ｌ２からの光の光量の低下を抑制することができる。
【００５８】
第２実施形態に係る第２導光部６２は、意匠板３０の後面に対して固定されている。例えば、第２導光部６２は、拡散シートを挟んで、意匠板３０の後面に形成された糊印刷により固定されている。なお、意匠板３０の後面に対する第２導光部６２の固定手法は、糊印刷に限られず、両面テープ、ゲル状素材、溶着ピン、フックなど他の公知の固定手法であってもよい。
【００５９】
また、第２実施形態に係る第２導光部６２の後面には、第１実施形態で述べた、例えば白色樹脂シートからなる反射シートが固定されている。なお、第２実施形態においては、当該反射シートの代わりに、第２導光部６２の後面に反射性印刷層をスクリーン印刷などの公知の印刷手法で直接形成してもよい。
【００６０】
第２実施形態では、意匠板用光源Ｌ２が発した光が、第１導光部６１の第１反射面６１１ａ及び第２反射面６１２ａで反射され、第１導光部６１と第２導光部６２との間に設けられた隙間を介して、意匠板３０の背後にある第２導光部６２へと導かれ、意匠板３０が照明される。これにより、意匠板３０の発光部３２が発光する。
【００６１】
ここで、図８を参照して、表示部２０側における導光体２６０の導光経路について、具体的に説明する。
【００６２】
意匠板用光源Ｌ２が発した光は、第１導光部６１の後方端面に入射し、前方へと向かう。当該前方へと向かった光は、第１反射面６１１ａで反射し、意匠板３０の後面に沿って表示部２０側へと向かい出射部６１０から出射される。出射部６１０から出射された光は、第１導光部６１と第２導光部６２との間に設けられた隙間を通過して、受光部６２０から第２導光部６２内に導かれた後、後面（及び図示せぬ反射シート）でさらに反射して、第２導光部６２の前方へと出射される。当該出射光は、前記の拡散シート（図示せず）を介し、拡散光として意匠板３０を後方から照明する。これにより、意匠板３０に形成された発光部３２が発光する。
【００６３】
また、第２導光部６２の覆い部６２１に導かれた光は、覆い部６２１の外周端面（図８の左側端）へと到達するが、この外周端面には第１実施形態と同様に遮光部７０が設けられているため、表示部２０の表示面２１の前方へは漏れ出ない。これにより、表示面２１に表示される画像の見栄えが低減することが防止される。
【００６４】
なお、本発明は以上の実施形態及び図面によって限定されるものではない。本発明の要旨を変更しない範囲で、適宜、変更（構成要素の削除も含む）を加えることが可能である。
【００６５】
以上に説明した表示装置１は、画像を前方に表示する表示部２０と、画像を視認可能とする窓部３１と第２導光部６２が導いた光により発光する発光部３２とを有する意匠板３０と、意匠板用光源Ｌ２（光源の一例）が実装された回路基板４０と、第１反射面６１１ａ（反射面の一例）を有する第１導光部６１と、表示部２０の一部を前方から覆う覆い部６２１を有し、第１反射面６１１ａで反射した光を導く板状の第２導光部６２と、を備える。
このように、表示装置１の内部構造を踏まえつつ、意匠用光源Ｌ１からの光を、第１導光部６１を介して、意匠板３０の後面に沿って第２導光部６２で導くようにしたから、意匠板３０を良好に照明することができる。つまり、表示部２０の一部を導光部（覆い部６２１）が覆う構造においても見栄えを良好とすることができる。
【００６６】
そして、意匠板用光源Ｌ２は、複数あり、延在部６１１の第２の方向Ｄ２における両端部の後面と、第１の方向Ｄ１において対向する第１、第２特定光源Ｌ２ａ、Ｌ２ｂ（特定光源の一例）を含む。このため、延在部６１１の両端に相当する意匠板３０の部分も、導光体６０により均一に照明することができる。なお、特定光源（第１、第２特定光源Ｌ２ａ、Ｌ２ｂ）は、延在部６１１の第２の方向Ｄ２における両端部の少なくとも一方の後面と対向する位置に設ければよい。
【００６７】
特に、第２実施形態に係る表示装置１では、第１導光部６１と第２導光部６２とは、別体であり、第１導光部６１は、第１収容部５１（収容部の一例）に固定され、第２導光部６２は、意匠板３０の後面に対して固定されている。
このようにしたから、第１導光部６１と第２導光部６２の各々の組み付けが容易である。なお、第１導光部６１を第１収容部５１に係合固定すれば、第１導光部６１の組み付けがより容易となり、好ましい。
【００６８】
また、第２導光部６２の覆い部６２１の外周端面には、遮光部７０が設けられているため、意匠用光源Ｌ２からの光が表示部２０の表示面２１の前方へは漏れ出ない。これにより、表示面２１に表示される画像の見栄えが低減することが防止される。
【００６９】
特に、第１実施形態に係る表示装置１では、第２導光部６２の板厚は、第１導光部６１の延在部６１１の肉厚よりも小さく、第１導光部６１と第２導光部６２とは、複数段階の射出成形によって一体に形成されている。
このようにしたから、成形不良を回避しつつ、第２導光部６２を板厚が数ｍｍ程度の薄板状に形成することができ、意匠板３０と表示部２０との間隔を狭めることができる。結果として、表示見栄えをより良好にすることができる。
【００７０】
また、表示部２０の画像を視認可能とする窓部３１と、指針式計器１０のうち少なくとも一部が発光部３２として形成された指標部１２とを、共通の意匠板３０に形成したため、表示部２０と指針式計器１０の表示の一体感（シームレス感）を演出することができる。
【００７１】
なお、表示装置１が搭載される乗り物は、車両に限られず、航空機、船舶、農耕機械などであってもよい。また、表示装置１は、導光体６０、２６０によって意匠板３０を後方から照明するとともに、導光体６０、２６０の一部が表示部２０の一部を前方から覆う構造を有しているものであれば、指針式計器１０を備えていなくともよく、用途や構成は任意である。また、導光体６０、２６０の形状や材質も任意であり、例えば、第２導光部６２における表示部２０を前方から覆わない部分は、薄板状でなくともよい。
【００７２】
以上の説明では、本発明の理解を容易にするために、公知の技術的事項の説明を適宜省略した。
【符号の説明】
【００７３】
１…表示装置
１０…指針式計器、１１…指針、１２…指標部、ＡＸ…軸線
２０…表示部、２１…表示面
３０…意匠板
３１…窓部、３２…発光部
３３…貫通孔、Ｗａ…第１点灯部、Ｗｂ…第２点灯部
４０…回路基板、４１…モータ、４１ａ…回転軸
Ｌ１…指針用光源
Ｌ２…意匠板用光源、Ｌ２ａ…第１特定光源、Ｌ２ｂ…第２特定光源
５０…ケース
５１…第１収容部、５１１，５１２…フック
５２…第２収容部、５５…隔壁部
５３…指針用照明室、５４ａ…第１点灯部用照明室、５４ｂ…第２点灯部用照明室
６０，２６０…導光体
６１…第１導光部
６１１…延在部、６１１ａ…第１反射面
６１２…湾曲部、６１２ａ…第２反射面
６１１ｂ，６１２ｂ…係合部
６１０…出射部
６２…第２導光部
６２１…覆い部
６２０…受光部
７０…遮光部
８０…フロントカバー
Ｄ１…第１の方向、Ｄ２…第２の方向
【図１】
2019045209.tif 000003
【図２】
2019045209.tif 000004
【図３】
2019045209.tif 000005
【図４】
2019045209.tif 000006
【図５】
2019045209.tif 000007
【図６】
2019045209.tif 000008
【図７】
2019045209.tif 000009
【図８】
2019045209.tif 000010